(57)【特許請求の範囲】
【請求項１】
ＭＤＦにおいてそれぞれ段および列に配列され、水平に設置されるホリゾンタル側端子盤と、該ホリゾンタル側端子盤と向かい合って垂直に設置されるバーチカル側端子盤との間を配線するための配線情報を生成する情報処理装置であって、
バーチカル側端子盤の列を単位として、該バーチカル側端子盤の列毎に、該バーチカル側端子盤の列と直近にあるホリゾンタル側端子盤上の端子で、かつ、該バーチカル側端子盤の列に含まれる配線対象の端子の数の、ホリゾンタル側端子盤上の配線対象の端子を選択し、該端子の集合であるホリゾンタル側端子群を、前記バーチカル側端子盤の各列に対応させ分類する第１処理部と、
前記バーチカル側の端の列から順に順方向へ、さらに該バーチカル側端子盤の列の端の端子から鉛直方向に順に、該端子に対し、該バーチカル側端子盤の列を含む鉛直面内で該端子と直近にありかつ該バーチカル側の列に対応するホリゾンタル側端子群中の未割り付けの端子を、順に割り付けた配線情報を生成する第２処理部と、を備える
ことを特徴とするＭＤＦ配線情報生成装置。
【請求項２】
前記ＭＤＦ配線情報生成装置は、
交換機が接続される側の端子盤上の端子を特定する加入者線収容位置が若番順に設定された列または段に含まれる前記配線対象の端子の数と、該列または段に含まれる全端子数との比を、前記交換機に収容する所定の収容加入者数と、該交換機に実装される端子の数との比となるように、該列または段に含まれる前記配線対象の端子を設定する第３処理部を、さらに備える
ことを特徴とする請求項１に記載のＭＤＦ配線情報生成装置。
【請求項３】
ＭＤＦにおいてそれぞれ段および列に配列され、水平に設置されるホリゾンタル側端子盤と、該ホリゾンタル側端子盤と向かい合って垂直に設置されるバーチカル側端子盤との間を配線するための配線情報を生成する情報処理装置における処理方法であって、
バーチカル側端子盤の列を単位として、該バーチカル側端子盤の列毎に、該バーチカル側端子盤の列と直近にあるホリゾンタル側端子盤上の端子で、かつ、該バーチカル側端子盤の列に含まれる配線対象の端子の数の、ホリゾンタル側端子盤上の配線対象の端子を選択し、該端子の集合であるホリゾンタル側端子群を、前記バーチカル側端子盤の各列に対応させ分類する手順と、
前記バーチカル側の端の列から順に順方向へ、さらに該バーチカル側端子盤の列の端の端子から鉛直方向に順に、該端子に対し、該バーチカル側端子盤の列を含む鉛直面内で該端子と直近にありかつ該バーチカル側の列に対応するホリゾンタル側端子群中の未割り付けの端子を、順に割り付けた配線情報を生成する手順と、を含む
ことを特徴とするＭＤＦ配線情報生成方法。
【請求項４】
前記ＭＤＦ配線情報生成方法は、
交換機が接続される側の端子盤上の端子を特定する加入者線収容位置が列または段方向に対し若番順に設定されるＭＤＦに対する前記配線情報を生成するための方法であり、
加入者線収容位置が若番順に設定された列または段に含まれる端子で、かつ、該列または段に含まれる前記配線対象の端子の数と、該列または段に含まれる全端子数との比を、前記交換機に収容する所定の収容加入者数と、該交換機に実装される端子の数との比となるように前記配線対象の端子を設定する手順を、さらに含む
ことを特徴とする請求項３に記載のＭＤＦ配線情報生成方法。
【請求項５】
コンピュータ装置にインストールすることにより、その装置が請求項１に記載のＭＤＦ配線情報生成装置を実現するプログラムであって、コンピュータを、前記第１処理部および第２処理部として機能させるためのプログラム。
【請求項６】
コンピュータ装置にインストールすることにより、その装置が請求項１に記載のＭＤＦ配線情報生成装置を実現するプログラムを記録した記録媒体であって、
コンピュータを、前記第１処理部および第２処理部として機能させるためのプログラムを記録したコンピュータ読み取り可能な記録媒体。
【発明の詳細な説明】
【０００１】
【発明の属する技術分野】
本発明は、ＭＤＦにおけるジャンパー線を配線するための配線情報を生成する装置および方法に関する。
【０００２】
【従来の技術】
加入者線と電話交換機（以下、交換機と称す）とを接続するためのＭＤＦ（本配線盤）と呼ばれる装置がある。この装置は、長さ５０ｍほどある１つのラック状の構造物で、加入者宅につながる回線と、交換機につながる回線をジャンパー線で接続する設備である。このＭＤＦにおいて、水平に端子盤が設置されている側はホリゾンタル側と呼ばれ、垂直に端子盤が設置されている側はバーチカル側と呼ばれる。このホリゾンタル側とバーチカル側の一方が、加入者宅につながる加入者側となり、他方が交換機につながる交換機側となる。加入者側の端子盤の各端子は線番という一意な番号で管理されている。また、交換機側の端子盤の各端子は加入者線収容位置（以下、収容位置と称す）という一意な番号で管理されている。また、加入者側および交換機側の端子盤は複数あり、それぞれ、段と列をなすように配列されている（図３、４参照）。これらの図に示すように、ホリゾンタル側は、端子盤が水平に並び、バーチカル側は、端子盤が垂直に並んでいる。
なお、本発明の詳細な説明において図面を参照した説明は、簡単のために、ＭＤＦの構成を、ホリゾンタル側を２段３列、バーチカル側を３段３列として説明している。
【０００３】
このＭＤＦでは、両端で向かい合ったホリゾンタル側の水平端子盤上の端子と、バーチカル側の垂直端子盤上の端子とを、ジャンパー線というワイヤーで結ぶことで加入者線と交換機とを接続している（図５参照）。図５に示すように、このジャンパー線は、ホリゾンタル側の端子盤上の端子から、ケーブルラックの上を通り、さらにバーチカル側の列のケーブルガイドリングを通って、バーチカル側の端子に接続される。現時点で、加入者線と交換機間は、このような装置構成をとることから、例えば、加入者線を古い交換機から新しい交換機に収容するための工事が発生した場合、このＭＤＦのジャンパー線の配線をし直すことになる。
【０００４】
このとき用いられる配線方式として、ストレートジャンパー方式という配線方式が知られている。この配線方式は、前述した加入者線側の線番と、交換機側の収容位置が、若番から順にＭＤＦに設定され固定されている特徴を利用し、単純にそれぞれの若番から順に組み合わせていく方式である。
【０００５】
【発明が解決しようとする課題】
しかし、従来のストレートジャンパー方式よる配線では、
（１）ジャンパー線に重なりが生じ、ジャンパー線の撤去作業時に、「抜きづらい」、「ジャンパー線が途中で断線した」などの支障が発生する、
（２）また、収容位置を若番から順に割り付けるため、老番の収容位置に空きが集中する。これは、特定の加入者装置にトラヒックが集中することになり、問題がある（非均等割付）、
（３）また、大口加入者の線番は通常連続しているため、若番から順に組み合わせると、収容位置が連続し付与されるため、交換機を構成する一台の装置に集中してしまい危険分散が図れない（非分散収容）、
等の問題があった。
なお、図６、７に、ジャンパー線の重なりの例を示している。図６は、ケーブルラック上でのジャンパー線の重なりの例であり、図７は、バーチカル側における垂直方向の重なりの例である。
【０００６】
本発明は、上記の点に鑑みてなされたもので、ジャンパー線どうしの重なりをなくし、かつ、できるだけ短い配線が行え、また、均等割付・分散収容により配線の偏りを防ぐことができるＭＤＦ配線情報生成装置及びＭＤＦ配線情報生成方法を提供するものである。
【０００７】
【課題を解決するための手段】
本発明のＭＤＦ配線情報生成装置は、ＭＤＦにおいてそれぞれ段および列に配列され、水平に設置されるホリゾンタル側端子盤と、該ホリゾンタル側端子盤と向かい合って垂直に設置されるバーチカル側端子盤との間を配線するための配線情報を生成する情報処理装置であって、バーチカル側端子盤の列を単位として、該バーチカル側端子盤の列毎に、該バーチカル側端子盤の列と直近にあるホリゾンタル側端子盤上の端子で、かつ、該バーチカル側端子盤の列に含まれる配線対象の端子の数のホリゾンタル側端子盤上の配線対象の端子を選択し、該端子の集合であるホリゾンタル側端子群を、前記バーチカル側端子盤の各列に対応させ分類する第１処理部と、前記バーチカル側の端の列から順に順方向へ、さらに該バーチカル側端子盤の列の端の端子から鉛直方向に順に、該端子に対し、該バーチカル側端子盤の列を含む鉛直面内で該端子と直近にありかつ該バーチカル側の列に対応するホリゾンタル側端子群中の未割り付けの端子を、順に割り付けた配線情報を生成する第２処理部と、を備えることを特徴とする。
【０００８】
また、本発明のＭＤＦ配線情報生成装置において、前記ＭＤＦ配線情報生成装置は、交換機が接続される側の端子盤上の端子を特定する加入者線収容位置が若番順に設定された列または段に含まれる前記配線対象の端子の数と、該列または段に含まれる全端子数との比を、前記交換機に収容する所定の収容加入者数と、該交換機に実装される端子の数との比となるように、該列または段に含まれる前記配線対象の端子を設定する第３処理部を、さらに備えることを特徴とする。
【０００９】
また、第２の課題を解決する本発明のＭＤＦ配線情報生成装置は、交換機が接続される側の端子が、該交換機を構成する架、装置、パッケージを含む各部を識別するための情報を含む加入者線収容位置により特定され、加入者線が接続される側の端子が、該加入者線に割り当てられた線番により特定されるＭＤＦにおいてそれぞれ段および列に配列され、水平に設置されるホリゾンタル側端子盤と、該ホリゾンタル側端子盤と向かい合って垂直に設置されるバーチカル側端子盤との間を配線するための配線情報を生成する情報処理装置であって、交換機に収容する加入者の電話番号と該加入者に提供するサービスの情報を含む収容加入者情報から、代表加入者およびＰＢＸダイヤルイン加入者の情報を取得し、該代表加入者およびＰＢＸダイヤルイン加入者の加入者線に対して、収容する架、装置、パッケージの順位で、前記加入者線収容位置に線番を対応付けた配線情報を生成する第４処理部を備えることを特徴とする。
【００１０】
また、本発明のＭＤＦ配線情報生成方法は、ＭＤＦにおいてそれぞれ段および列に配列され、水平に設置されるホリゾンタル側端子盤と、該ホリゾンタル側端子盤と向かい合って垂直に設置されるバーチカル側端子盤との間を配線するための配線情報を生成する情報処理装置における処理方法であって、バーチカル側端子盤の列を単位として、該バーチカル側端子盤の列毎に、該バーチカル側端子盤の列と直近にあるホリゾンタル側端子盤上の端子で、かつ、該バーチカル側端子盤の列に含まれる配線対象の端子の数のホリゾンタル側端子盤上の配線対象の端子を選択し、該端子の集合であるホリゾンタル側端子群を、前記バーチカル側端子盤の各列に対応させ分類する手順と、前記バーチカル側の端の列から順に順方向へ、さらに該バーチカル側端子盤の列の端の端子から鉛直方向に順に、該端子に対し、該バーチカル側端子盤の列を含む鉛直面内で該端子と直近にありかつ該バーチカル側の列に対応するホリゾンタル側端子群中の未割り付けの端子を、順に割り付けた配線情報を生成する手順と、を含むことを特徴とする。
【００１１】
また、本発明のＭＤＦ配線情報生成方法において、前記ＭＤＦ配線情報生成方法は、交換機が接続される側の端子盤上の端子を特定する加入者線収容位置が列または段方向に対し若番順に設定されるＭＤＦに対する前記配線情報を生成するための方法であり、加入者線収容位置が若番順に設定された列または段に含まれる端子で、かつ、該列または段に含まれる前記配線対象の端子の数と、該列または段に含まれる全端子数との比を、前記交換機に収容する所定の収容加入者数と、該交換機に実装される端子の数との比となるように前記配線対象の端子を設定する手順を、さらに含むことを特徴とする。
【００１２】
また、第２の課題を解決する本発明のＭＤＦ配線情報生成方法は、交換機が接続される側の端子が、該交換機を構成する架、装置、パッケージを含む各部を識別するための情報を含む加入者線収容位置により特定され、加入者線が接続される側の端子が、該加入者線に割り当てられた線番により特定されるＭＤＦにおいてそれぞれ段および列に配列され、水平に設置されるホリゾンタル側端子盤と、該ホリゾンタル側端子盤と向かい合って垂直に設置されるバーチカル側端子盤との間を配線するための配線情報を生成する情報処理装置における処理方法であって、交換機に収容する加入者の電話番号と該加入者に提供するサービスの情報を含む収容加入者情報から、代表加入者およびＰＢＸダイヤルイン加入者の情報を取得する手順と、該代表加入者およびＰＢＸダイヤルイン加入者の加入者線に対して、収容する架、装置、パッケージの順位で、前記加入者線収容位置に線番を対応付けた配線情報を生成する手順と、を含むことを特徴とする。
【００１３】
また、本発明は、コンピュータ装置にインストールすることにより、その装置が請求項１に記載のＭＤＦ配線情報生成装置を実現するプログラムであって、
コンピュータを、前記第１処理部および第２処理部として機能させるためのプログラムである。
【００１４】
また、第２の課題を解決する本発明は、コンピュータ装置にインストールすることにより、その装置が請求項３に記載のＭＤＦ配線情報生成装置を実現するプログラムであって、コンピュータを、前記第４処理部として機能させるためのプログラムである。
【００１５】
また、本発明は、コンピュータ装置にインストールすることにより、その装置が請求項１に記載のＭＤＦ配線情報生成装置を実現するプログラムを記録した記録媒体であって、コンピュータを、前記第１処理部および第２処理部として機能させるためのプログラムを記録したコンピュータ読み取り可能な記録媒体である。
【００１６】
また、第２の課題を解決する本発明は、コンピュータ装置にインストールすることにより、その装置が請求項３に記載のＭＤＦ配線情報生成装置を実現するプログラムを記録した記録媒体であって、コンピュータを、前記第４処理部として機能させるためのプログラムを記録したコンピュータ読み取り可能な記録媒体である。
【００１７】
【発明の実施の形態】
以下、本発明の実施の形態を、図面を参照して説明する。
まず、加入者宅から交換機までのシステム全体の構成を示し、ＭＤＦ配線情報生成装置の役割を説明する。図１では、特に加入者収容替え時の状況を示している。
【００１８】
ＭＤＦ配線情報生成装置は、交換機の機種変更等に伴い、旧交換機から新交換機に加入者線を収容替えするために、新交換機に投入する加入者データの生成と、加入者線と新交換機を接続するジャンパー施工表の生成を行う装置である。ここで加入者データは、加入者の電話番号に対する収容位置を交換機に登録するためのデータであり、ジャンパー施行表は、ＭＤＦにおいてジャンパー線を張るための線番と収容位置の対応を示す表（配線情報）である。
加入者収容替えの場合、ＭＤＦ配線情報生成装置が生成したジャンパー施行表に基づき、ジャンパー線の張り替えがなされ、さらに加入者データが新交換機に投入されることで、加入者の収容替えの工事が行われる。
【００１９】
次に、ＭＤＦ配線情報生成装置に入力される情報ならびにＭＤＦ配線情報生成装置が出力する情報について説明する。
【００２０】
１）加入者回路実装情報（入力情報）：
前述した収容位置の情報（加入者線収容位置情報）であり、ＭＤＦのバーチカル側端子盤の端子を特定する、プロセッサ番号、架番号、装置番号、パッケージ番号、回路番号で構成された一意な番号である。この番号を収容位置と呼び、本実施の形態では、新交換機の設備に対応した情報に基づき設定されるものとする。
ここで上記、プロセッサ番号、架番号、装置番号、パッケージ番号、回路番号について説明する。
【００２１】
回路番号とは、１枚のパッケージ上にあり加入者線が接続される複数の回路のそれぞれに割り当てられた番号である。パッケージ番号とは、１装置上に設置される複数のパッケージのそれぞれに割り当てられた番号である。また、装置番号とは、１架に設置される複数の装置のそれぞれに割り当てられた番号である。また、架番号とは、１プロセッサにより制御される複数の架のそれぞれに割り当てられた番号である。また、プロセッサ番号とは、架を制御するプロセッサに割り当てられた番号である。
このように、ＭＤＦの交換機側端子盤の端子を特定するこの収容位置は、上記の意味をもつので、収容位置が特定されるとこれらの番号が特定され、この情報と下記のジャンパー施行表の情報とから、加入者線がどの回路に接続されたかが一意に特定される。
【００２２】
２）ＭＤＦ端子盤実装情情報（入力情報）：
このＭＤＦ端子盤実装情報には、バーチカル側の情報とホリゾンタル側の情報がある。このＭＤＦ端子盤実装情報は、各端子盤の設置されている物理的な位置を、その段と列に対し番号付けた段番号と列番号とで表している。
なお、前述したように、ＭＤＦとは、加入者宅につながる回線と、交換機につながる回線をジャンパー線で接続する設備であり、加入者側の水平端子盤の各端子は線番という一意な番号で管理され、交換機側の垂直端子盤の各端子は収容位置で管理されている。通常、ＭＤＦでは、加入者線側からＭＤＦへの配線ならびに交換機側からＭＤＦへの配線は、それぞれ線番ならびに収容位置の若番順に配線されその配置は固定されたものとなっている。
【００２３】
３）加入者電話番号対線番情報（入力情報）：
加入者の電話番号と、ＭＤＦの加入者線側の線番の対応情報である。
４）収容加入者情報（入力情報）：
新交換機に収容する加入者の電話番号、付加サービスの情報である。
この付加サービスには、一般電話／公衆電話／共同電話、ダイヤル／プッシュ、キャッチホン有り／無し、個人加入者／代表加入者／ＰＢＸダイヤルイン加入者などがある。
【００２４】
５）ジャンパー施行表（出力情報）：
ホリゾンタル側の端子の線番あるいは収容位置と、バーチカル側の端子の収容位置あるいは線番とを対応付けた表である。つまり、この線番の端子をこの収容位置の端子に結ぶという情報を示すのがジャンパー施行表である。
５）加入者データ（出力情報）：
加入者データとは、新交換機に、どの回路には加入者の電話番号の何番が入ったという情報を設定するものである。この加入者データには、この収容位置に結んだ回線の電話番号は、○○○の××××番であるという情報を含んでいる。
【００２５】
次に、本実施の形態のＭＤＦ配線情報生成装置の構成について、図２を参照して説明する。
【００２６】
ＭＤＦ配線情報生成装置１は、上記各入力情報の入力を受ける入力部２ａと、上記出力情報を出力する出力部２ｄと、上記ジャンパー施行表を生成して出力部２ｄに出力させる配線情報生成部２ｂと、生成されたジャンパー施行表と上記加入者電話番号対線番情報とから電話番号と収容位置とを対応付けた加入者データを生成する加入者データ生成部２ｃとからなる処理部２と、入力情報および生成された出力情報を記憶する記憶部３と、から構成される。
【００２７】
なお、配線情報生成部２ｂは、本発明の特徴であるジャンパー線どうしの重なりをなくし、かつ、できるだけ短い配線を行うことができ、さらに均等割付・分散収容により配線の偏りを防ぐジャンパー線の配線を実施するためのジャンパー施行表を生成するものであり、この配線情報生成部２ｂによるジャンパー施行表生成の手順の詳細は後述する。
【００２８】
この処理部２はメモリおよびＣＰＵ（中央処理装置）等により構成され、処理部２の各機能を実現するためのプログラム（図示せず）をメモリにロードして実行することによりその機能が実現されるものとする。
また、記憶部３は、ハードディスク、光磁気ディスク等の不揮発性の記録装置により構成されている。
また、ＭＤＦ配線情報生成装置１には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ Ｒａｙ Ｔｕｂｅ）や液晶表示装置等のことをいう。
【００２９】
次に、このように構成されたＭＤＦ配線情報生成装置１の動作について説明する。
【００３０】
前述したように、ＭＤＦのホリゾンタル側の端子盤とバーチカル側の端子盤は、図４に示すように向かい合って設置される。また、図５に示すように、ジャンパー線は、ホリゾンタル側の端子盤から、バーチカル側の該当列まで、ホリゾンタル側のラック上を通り、バーチカル側の端子盤に接続される。このような構造であるので、それぞれの端子盤の物理的位置を段と列で表せる。
本実施の形態では、ホリゾンタル側を加入者線がつながる加入者線側とし、バーチカル側を交換機がつながる交換機側として説明する。
【００３１】
ここで、ジャンパー線の重なりをなくし、かつ、できるだけ短い長さで配線できる本発明によるストレートジャンパー方式と、収容位置の均等割付とを同時に実現する配線情報生成部２ｂの処理手順を説明する。
【００３２】
はじめに、配線情報生成部２ｂは、入力されたＭＤＦ端子盤実装情報（ホリゾンタル側およびバーチカル側）を参照して、線番および収容位置に、ＭＤＦの各段と列を対応させる。ここで、ＭＤＦのホリゾンタル側およびバーチカル側の各端子盤の端子には、それぞれ線番と収容位置が若番順に予め設定されているものとする。
【００３３】
［第３処理］
次に、交換機に実装される端子数と、この交換機に収容する収容加入者数から、下記の割付率を求めて、バーチカル側（交換機側）の列単位に、線番の割り付けを受ける収容位置の数、すなわち配線対象となる収容位置の数（割付数）を算出する。
ここで、
割付率＝収容加入者数÷交換機端子数、（ただし、割付率＜１）
である。
【００３４】
例えば、交換機の端子数＝１００に対し、収容加入者＝８０である場合、割付率＝０．８となり、このとき、交換機側のある列の端子数が３００である場合、その割付数は、２４０となる（図８参照）。この場合、この２４０個の端子を配線対象の端子として使用することになる。また、図９に示した例では、バーチカル側０１列および０２列に４０端子を割り付け、０３列に２０端子を割り付けている。このようにして、交換機を構成する設備に対し、加入者線の均等割付を行うことができる。
【００３５】
［第１処理］
次に、バーチカル側の列単位に、各列の配線対象の端子の数（割付数）ずつ、ホリゾンタル側の端子盤の端子を選択する。この選択は、該当するバーチカル側の列と直近で、かつ、ホリゾンタル側の端子盤の列で未選択の端子を含む端子盤を含む列の（ホリゾンタル側から向かって）左上側の段から順に下側の段へ、さらに右隣の列の上段から順にさらに下側の段へと順に、割付数分の端子を選択していく。このとき、１つの端子盤内においては、左端の端子から順に端子を選択していく。図１０に示した例では、バーチカルの各列に対し、ホリゾンタル側を図に示した１〜６の順で端子を選択していく。また、この図では、バーチカル側０１列に対し、ホリゾンタル側の符合１の端子盤の端子を１０端子選択し、符合２の端子盤の端子を２０端子選択し、符合３の端子盤の端子を１０端子選択している状況を示している。
【００３６】
このようにして選択されたホリゾンタル側の端子のグループ（ホリゾンタル側端子群）が、バーチカル側の各列に対応して割り付けられる（図１１参照）。これによりホリゾンタル側から見て、ホリゾンタル側の端子のグループに含まれる端子が、バーチカル側のどの列に配線されるかということが決まる。ここでの処理は、バーチカル側の各列に割り付ける（対応付ける）線番のグループを決定している。例えば、バーチカル側の第０１列には、線番１〜４０を対応させ、第２列には、線番４１〜８０を対応させるといった処理を行う。
【００３７】
この段階では、どの線番の端子がどの収容位置の端子と接続されるかは、まだ決まっていない。ここでは、バーチカル側端子盤の列単位に、各列の配線対象の端子のグループに対応するホリゾンタル側のグループであって、このバーチカル側の列に直近するホリゾンタル側における必要な端子数からなる端子のグループに分類している。この段階で得られる結果のみから、バーチカル側の列に対応するホリゾンタル側の端子のグループに含まれる端子を接続したとしても、ラック上（水平面）でのジャンパー線の重なりがなくなることは明らかである。すなわち、この処理により、ラック上（水平面）でのジャンパー線の重なりを防ぐことができる。
【００３８】
［第２処理］
次に、バーチカル側の端子盤の列毎に、バーチカル側端子盤の端子に対しては、バーチカル側の上の段から下の段への順で、そして、このバーチカル側の列に対応するホリゾンタル側端子盤の端子のグループの端子に対しては、このグループの上の段の水平端子盤（注：この水平端子盤が当該バーチカル側の列を含む鉛直面内で当該端子に直近する位置にある）の端子を左から右の方向への順で、さらに、下の段の端子を同様の順で、上の段から下の段へという順序（図１２参照、また、図１３に示した例では、１−＞２−＞３の順）で、バーチカル側端子盤の端子にホリゾンタル側端子盤の端子を割り付けていく。
この段階の処理により、バーチカル側の空間上（垂直面）でのジャンパー線の重なりを防ぐことができる。
【００３９】
図１４に、符合１〜３で示したホリゾンタル側端子盤の端子と、バーチカル側０１列の端子を、ＭＤＦ配線情報生成装置１が生成したジャンパー施行表に基づき、ジャンパー線で配線した例を示している。なお、この図では、簡単のため、代表となるジャンパー線を１本ずつ図示している。この図に示すように、ジャンパー線の重なりが生じていないことがわかる。
以上の第１処理および第２処理の２段階の処理で、ホリゾンタル側のラック上ならびにバーチカル側の空間上でのジャンパー線の重なりを防ぎ、かつ、短い配線でジャンパー線を繋ぐことができる。
【００４０】
以上、本発明によるストレートジャンパー方式と、収容位置の均等割付とを同時に実現する配線情報生成部２ｂの処理手順を説明した。
なお、上記の割付の順序に対し、上下、左右反転させた順序で割り付けても同様である。また、ホリゾンタル側の端子をバーチカル側の端子に割り付ける順序を、ホリゾンタル側の上の段から下の段へ移った際に逆向きの順序で割り付けても、ジャンパー線の重なりを防ぐことができる。また、ホリゾンタル側を交換機側とし、バーチカル側を加入者線側としても、ホリゾンタル側の端子に対し収容位置を設定し、バーチカル側の端子に対し線番を設定することで、本発明は同様に実施できる。
【００４１】
次に、大口加入者の加入者線に対する分散収容を行う場合の実施例について説明する。
【００４２】
大口加入者は多くの場合、代表加入者、ＰＢＸダイヤルイン加入者である。したがって、この特徴を利用して加入者が大口加入者であるか否かを判断する。
［第４処理］
配線情報生成部２ｂは、前述した収容加入者情報から、代表加入者およびＰＢＸダイヤルイン加入者の情報を取得する。そして、これらの代表加入者およびＰＢＸダイヤルイン加入者の加入者線に対し、搭載架、装置、パッケージの順位で、線番を収容位置に割り付けたジャンパー施行表を生成し、当該加入者線の分散収容を可能とする。
【００４３】
本実施例は、前述した本実施の形態のストレートジャンパー方式と同時に実施した場合、例えば、大口加入者に対して本実施例の第４処理を行い、小口加入者に対して前述した第１処理および第２処理、あるいはさらに、第１処理および第２処理に先立って第３処理を行っても、一部にジャンパー線の重なりが生じる場合もあるが、同時に実施することで、大口加入者に対する危険分散を計ることができる。
【００４４】
なお、図１における処理部２の機能の一部あるいは全部を実現するためのプログラムをコンピュータ読み取り可能な記録媒体に記録して、この記録媒体に記録されたプログラムをコンピュータシステムに読み込ませ、実行することにより配線情報の生成を行ってもよい。なお、ここでいう「コンピュータシステム」とは、ＯＳや周辺機器等のハードウェアを含むものとする。
【００４５】
また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４７】
以上、この発明の実施形態を図面を参照して詳述してきたが、具体的な構成はこの実施形態に限られるものではなく、この発明の要旨を逸脱しない範囲の構成等も含まれる。
【００４８】
【発明の効果】
以上、詳細に説明したように、本発明によれば、ＭＤＦ内におけるジャンパー線をできるだけ短く、かつ、ジャンパー線どうしの重なりをなくすように配線できる。また、ジャンパー線の重なりが生じないので、ジャンパー線の撤去作業をスムーズに実施できる。
また、本発明によれば、交換機が接続される側の列または段に、空き収容位置が平均的に残ることになり、保守作業でのジャンパー線の新設時における列または段の配線の偏りによる無駄を防げる。
また、本発明によれば、大口加入者とみなせる加入者の加入者線を分散収容でき、加入者装置の故障時の影響を最小限に食い止めることができる。
【図面の簡単な説明】
【図１】  加入者宅から交換機までのシステム全体の構成を示す図である。
【図２】  本発明の一実施の形態であるＭＤＦ配線情報生成装置の構成を示すブロック図である。
【図３】  ＭＤＦの構成の概要を説明する図である。
【図４】  ＭＤＦの構成の概要を説明する図である。
【図５】  ＭＤＦにおけるジャンパー線施行の例を示す図である。
【図６】  ＭＤＦのケーブルラック上でのジャンパー線の重なりの例である。
【図７】  ＭＤＦのバーチカル側における垂直方向の重なりの例である。
【図８】  バーチカル側における端子割り付けの例である。
【図９】  バーチカル側における端子割り付けの例である。
【図１０】  ホリゾンタル側における端子選択の例である。
【図１１】  ホリゾンタル側における端子選択の例である。
【図１２】  ホリゾンタル側における端子割り付けの順序を示す図である。
【図１３】  ホリゾンタル側における端子割り付けの順序を示す図である。
【図１４】  ＭＤＦ配線情報生成装置が生成したジャンパー施行表に基づくジャンパー施行例である。
【符号の説明】
１…ＭＤＦ配線情報生成装置
２…処理部                        ２ａ…入力部
２ｂ…配線情報生成部              ２ｃ…加入者データ生成部
２ｄ…出力部                      ３…記憶部
【図１】
0003686001.tif 000002
【図２】
0003686001.tif 000003
【図３】
0003686001.tif 000004
【図４】
0003686001.tif 000005
【図５】
0003686001.tif 000006
【図６】
0003686001.tif 000007
【図７】
0003686001.tif 000008
【図８】
0003686001.tif 000009
【図９】
0003686001.tif 000010
【図１０】
0003686001.tif 000011
【図１１】
0003686001.tif 000012
【図１２】
0003686001.tif 000013
【図１３】
0003686001.tif 000014
【図１４】
0003686001.tif 000015